(57)【要約】【課題】制御動作の調整が容易かつ迅速に行え、当該調整の良否を迅速に判断することのできる電源装置および放電ランプ点灯装置を提供する。【解決手段】制御手段９は、調整動作時に、外部信号入力部６を介して入力された調整信号により調整プログラムを実行し、電気特性検出手段５が検出する電気特性が所定値となるように高周波点灯回路３を制御して制御係数Ｋ１，Ｋ２を演算処理する演算処理部２６ａを有し、この演算処理部２６ａによる制御係数Ｋ１，Ｋ２の演算処理に応じて調整終了または調整不能の報知信号を報知信号出力部７から出力させるとともに、演算処理部２６ａが制御係数Ｋ１，Ｋ２を決定したときに当該制御係数Ｋ１，Ｋ２を不揮発性の記憶手段８に記憶させる。【選択図】図１
2007174751.tif 000002
【特許請求の範囲】
【請求項１】
直流電源、電源回路および負荷の少なくとも一の電気特性を検出する電気特性検出手段と；
外部から調整信号を入力する外部信号入力部と；
調整終了または調整不能の報知信号を外部に出力する報知信号出力部と；
制御係数を記憶する不揮発性の記憶手段と；
調整用負荷が電源回路に接続された調整動作時に、外部信号入力部を介して入力された調整信号により調整プログラムを実行し、電気特性検出手段が検出する電気特性が所定値となるように電源回路を制御して制御係数を演算処理する演算処理部を有し、この演算処理部による制御係数の演算処理に応じて調整終了または調整不能の報知信号を報知信号出力部から出力させるとともに、演算処理部が制御係数を決定したときに当該制御係数を不揮発性の記憶手段に記憶させるように構成された制御手段と；
を具備していることを特徴とする電源装置。
【請求項２】
直流電源、高周波点灯回路および放電ランプの少なくとも一の電気特性を検出する電気特性検出手段と；
外部から調整信号を入力する外部信号入力部と；
調整終了または調整不能の報知信号を外部に出力する報知信号出力部と；
制御係数を記憶する不揮発性の記憶手段と；
調整用負荷が高周波点灯回路に接続された調整動作時に、外部信号入力部を介して入力された調整信号により調整プログラムを実行し、電気特性検出手段が検出する電気特性が所定値となるように高周波点灯回路を制御して制御係数を演算処理する演算処理部を有し、この演算処理部による制御係数の演算処理に応じて調整終了または調整不能の報知信号を報知信号出力部から出力させるとともに、演算処理部が制御係数を決定したときに当該制御係数を不揮発性の記憶手段に記憶させるように構成された制御手段と；
を具備していることを特徴とする放電ランプ点灯装置。
【請求項３】
外部信号入力部は、無線信号で調整信号を入力し、報知信号出力部は、無線信号で報知信号を出力するように形成されていることを特徴とする請求項２記載の放電ランプ点灯装置。
【請求項４】
制御手段は、電気特性検出手段が検出する電気特性のうちの制御係数を決定することができない電気特性に対して調整不能の報知信号を報知信号出力部から出力させることを特徴とする請求項２または３記載の放電ランプ点灯装置。
【請求項５】
電気特性検出手段が検出する電気特性に対して演算処理部での演算処理する順番が設定され、制御手段は、制御係数を決定することができない電気特性に対して前記順番を調整不能の報知信号として報知信号出力部から出力させることを特徴とする請求項２ないし４いずれか一記載の放電ランプ点灯装置。
【請求項６】
制御手段は、演算処理部が前もって設定された上限値および下限値の範囲内で前記制御係数を決定したときに調整終了の報知信号を出力させ、前記範囲内で前記制御係数を決定できないときに調整不能の報知信号を出力させることを特徴とする請求項２ないし５いずれか一記載の放電ランプ点灯装置。
【発明の詳細な説明】
【技術分野】
【０００１】
本発明は、制御調整を行う電源装置および放電ランプ点灯装置に関する。
【背景技術】
【０００２】
電源装置は、所定の回路部や負荷が所望の電気特性で動作するように例えば製品出荷時に調整が行われている。この調整は、従来、人（調整員）が例えば可変抵抗器の抵抗値を調整することで行われている。例えば、調整工程において、光源を構成するＲＧＢの各ＬＥＤを順に発光させ、受光センサにより検出される輝度が規定値となるように各ＬＥＤに対応する各抵抗器の抵抗値を調整し、続いて、全てのＬＥＤを発光させ、色温度センサにより検出される色温度が規定の色温度となるように別の各抵抗器の抵抗値を調整する照明装置が提案されている（特許文献１参照。）。
【０００３】
また、運転パラメータの設定値をパラメータ調整用の可変抵抗器を可変することにより調整するインバータが提案されている（特許文献２参照。）。この従来技術のインバータは、可変抵抗器の可変に応じて設定内容および設定値がリアルタイムに表示器に表示され、設定値が目的値に達した時に調整完了となり、当該設定値がＲＯＭに記憶されるものである。
【０００４】
また、無接触給電設備の誘導線路全体のインダクタンス調整を、測定器を使用せずに行う調整方法が提案されている（特許文献３参照。）。この従来技術の調整方法は、調整が良好なことを表示する表示ランプが点灯するまで、可変インダクタをインダクタンスが増加する方向に調整することを指示する表示ランプが点灯すると、可変インダクタをインダクタンス増加側に調整し、また、可変インダクタをインダクタンスが減少する方向に調整することを指示する表示ランプが点灯すると、可変インダクタをインダクタンス減少側に調整するものである。
【特許文献１】特開２００５−１１６２８号公報（第６−７頁、第１図）
【特許文献２】実開平５−３３６８６号明細書（第５頁、第１図）
【特許文献３】特開２００５−１６８２２０号公報（第９頁、第５図）
【発明の開示】
【発明が解決しようとする課題】
【０００５】
特許文献１の照明装置は、光源の輝度や色温度が規定値となるように人が抵抗器の抵抗値を調整するので、当該調整に手間や時間を要するという欠点を有し、また、調整用測定器の設定ミスや測定値の読み違いなどの人的調整ミスを起こすおそれがある。
【０００６】
また、特許文献２のインバータは、表示器に表示された設定値を目視しながら可変抵抗器の抵抗値を変化させ、設定値が目的値となるように調整するので、上記同様、調整に手間や時間を要するとともに、人的調整ミスを起こすおそれがあるという欠点を有する。
【０００７】
また、特許文献３のインダクタンス調整方法は、各表示ランプの点灯を見ながら可変インダクタのインダクタンスを変化させるので、調整の手間や時間を低減でき、人的調整ミスの発生を低減可能である。しかしながら、調整員が可変インダクタを変化させるので、やはり調整に手間や時間を要する。また、調整が良好なことを表示する表示ランプが点灯するまで可変インダクタを調整するので、内部回路等に不具合があって調整不能のときに、調整できないことの判断に長時間を要するおそれがある。
【０００８】
本発明は、制御動作の調整が容易かつ迅速に行え、当該調整の良否を迅速に判断することのできる電源装置および放電ランプ点灯装置を提供することを目的とする。
【課題を解決するための手段】
【０００９】
請求項１に記載の電源装置の発明は、直流電源、電源回路および負荷の少なくとも一の電気特性を検出する電気特性検出手段と；外部から調整信号を入力する外部信号入力部と；調整終了または調整不能の報知信号を外部に出力する報知信号出力部と；制御係数を記憶する不揮発性の記憶手段と；調整用負荷が電源回路に接続された調整動作時に、外部信号入力部を介して入力された調整信号により調整プログラムを実行し、電気特性検出手段が検出する電気特性が所定値となるように電源回路を制御して制御係数を演算処理する演算処理部を有し、この演算処理部による制御係数の演算処理に応じて調整終了または調整不能の報知信号を報知信号出力部から出力させるとともに、演算処理部が制御係数を決定したときに当該制御係数を不揮発性の記憶手段に記憶させるように構成された制御手段と；を具備していることを特徴とする。
【００１０】
本発明および以下の各発明において、特に言及しない限り、各構成は以下による。
【００１１】
直流電源は、バッテリ、商用交流電圧を整流または整流平滑したもの、あるいはこれらにチョッパ回路を接続したものなど、直流電圧を出力するものであればよい。
【００１２】
負荷は、調整用負荷または本来の負荷のいずれであってもよい。
【００１３】
調整用負荷は、例えば本来の負荷の定格インピーダンスと等価の抵抗器でもよい。
【００１４】
本来の負荷は、モータ、ヒータなどの伝熱線、冷暖房機、換気扇や送風機などの各種電気機器で電力を消費するものであればよい。
【００１５】
電気特性は、例えば、直流電源および電源回路のそれぞれの入力（出力）電圧、入力（出力）電流および入力（出力）電力や負荷電流、負荷電圧および負荷電力の他、直流電源および電源回路のそれぞれの構成部品の電流、電圧および電力などである。
【００１６】
「制御係数」とは、演算処理部が演算処理を行うときの演算式の係数をいう。この係数が決定されることにより、電気特性検出手段が検出する電気特性が所定値となるように電源回路を制御することができる。
【００１７】
調整プログラムは、電源回路に接続される調整用負荷を制御動作させるものである。そして、本来の負荷は、通常プログラムに基づいて制御動作される。
【００１８】
本発明によれば、電源回路に調整用負荷が接続されて外部信号入力部に調整信号が入力されると、演算処理部は、調整プログラムを実行し、電気特性検出手段が検出する電気特性を所定値とする電源回路を制御する制御式の制御係数を演算する。そして、制御手段は、演算処理部が制御係数を決定すると、当該制御係数を不揮発性の記憶手段に記憶させるとともに、調整終了の報知信号を報知信号出力部から出力させる。また、制御手段は、演算処理部が制御係数を決定することができないと、調整不能の報知信号を報知信号出力部から出力させる。調整終了または制御不能の報知信号により、調整用負荷の制御動作に対する調整の良否が判断される。
【００１９】
請求項２に記載の放電ランプ点灯装置の発明は、直流電源、高周波点灯回路および放電ランプの少なくとも一の電気特性を検出する電気特性検出手段と；外部から調整信号を入力する外部信号入力部と；調整終了または調整不能の報知信号を外部に出力する報知信号出力部と；制御係数を記憶する不揮発性の記憶手段と；調整用負荷が高周波点灯回路に接続された調整動作時に、外部信号入力部を介して入力された調整信号により調整プログラムを実行し、電気特性検出手段が検出する電気特性が所定値となるように高周波点灯回路を制御して制御係数を演算処理する演算処理部を有し、この演算処理部による制御係数の演算処理に応じて調整終了または調整不能の報知信号を報知信号出力部から出力させるとともに、演算処理部が制御係数を決定したときに当該制御係数を不揮発性の記憶手段に記憶させるように構成された制御手段と；を具備していることを特徴とする。
【００２０】
本発明によれば、高周波点灯回路に調整用負荷が接続されて外部信号入力部に調整信号が入力されると、演算処理部は、調整プログラムを実行し、電気特性検出手段が検出する電気特性を所定値とする高周波点灯回路を制御する制御式の制御係数を演算する。そして、制御手段は、演算処理部が制御係数を決定すると、当該制御係数を不揮発性の記憶手段に記憶させるとともに、調整終了の報知信号を報知信号出力部から出力させる。また、制御手段は、演算処理部が制御係数を決定することができないと、調整不能の報知信号を報知信号出力部から出力させる。調整終了または制御不能の報知信号により、調整用負荷の制御動作に対する調整の良否が判断される。
【００２１】
請求項３に記載の放電ランプ点灯装置の発明は、請求項２記載の放電ランプ点灯装置において、外部信号入力部は、無線信号で調整信号を入力し、報知信号出力部は、無線信号で報知信号を出力するように形成されていることを特徴とする。
【００２２】
本発明によれば、外部信号入力部は、無線信号で調整信号を入力し、報知信号出力部は、無線信号で報知信号を出力するように形成されているので、調整信号を出力し報知信号を入力する少なくとも一の外部装置を外部信号入力部および報知信号出力部に接続することを要しない。したがって、調整作業が容易かつ迅速化される。
【００２３】
請求項４に記載の放電ランプ点灯装置の発明は、請求項２または３記載の放電ランプ点灯装置において、制御手段は、電気特性検出手段が検出する電気特性のうちの制御係数を決定することができない電気特性に対して調整不能の報知信号を報知信号出力部から出力させることを特徴とする。
【００２４】
本発明によれば、制御係数を決定することができない電気特性に対して調整不能の報知信号が報知信号出力部から出力されるので、調整不能の電気特性が特定される。
【００２５】
請求項５に記載の放電ランプ点灯装置の発明は、請求項２ないし４いずれか一記載の放電ランプ点灯装置において、電気特性検出手段が検出する電気特性に対して演算処理部での演算処理する順番が設定され、制御手段は、制御係数を決定することができない電気特性に対して前記順番を調整不能の報知信号として報知信号出力部から出力させることを特徴とする。
【００２６】
本発明によれば、制御係数を決定することができない電気特性に対して演算処理する順番が調整不能の報知信号として報知信号出力部から出力されるので、当該順番により調整不能の電気特性が特定される。
【００２７】
請求項６に記載の放電ランプ点灯装置の発明は、請求項２ないし５いずれか一記載の放電ランプ点灯装置において、制御手段は、演算処理部が前もって設定された上限値および下限値の範囲内で前記制御係数を決定したときに調整終了の報知信号を出力させ、前記範囲内で前記制御係数を決定できないときに調整不能の報知信号を出力させることを特徴とする。
【００２８】
本発明によれば、制御係数は、前もって設定された上限値および下限値の範囲内で演算処理されるので、放電ランプを所定の電気特性で点灯制御できる所望の制御係数が迅速に決定される。
【発明の効果】
【００２９】
請求項１の発明によれば、演算処理部による制御係数の決定の可否に応じて調整終了または調整不能の報知信号が出力されるので、報知信号に応じて制御動作の調整の良否を迅速に判断することができる。そして、電源回路に調整用負荷を接続し、外部信号入力部に調整信号を入力して直流電源を投入することにより、調整用負荷に対する制御動作の調整が自動的に行われるので、当該調整に手間や時間を要することがなく、当該調整の人的間違いを防止することができる。
【００３０】
請求項２の発明によれば、演算処理部による制御係数の決定の可否に応じて調整終了または調整不能の報知信号が出力されるので、報知信号に応じて制御動作の調整の良否を迅速に判断することができる。そして、高周波点灯回路に調整用負荷を接続し、外部信号入力部に調整信号を入力して直流電源を投入することにより、調整用負荷に対する制御動作の調整が自動的に行われるので、当該調整に手間や時間を要することがなく、当該調整の人的間違いを防止することができる。
【００３１】
請求項３の発明によれば、外部信号入力部は、無線信号で調整信号を入力し、報知信号出力部は、無線信号で報知信号を出力するように形成されているので、外部信号入力部および報知信号出力部と調整信号を出力し報知信号を入力する少なくとも一の外部装置とを接続する手間を要しなく、調整作業をより容易かつ迅速に行うことができる。
【００３２】
請求項４の発明によれば、制御係数を決定することができない電気特性に対して調整不能の報知信号が報知信号出力部から出力されるので、調整不能の電気特性の情報を製造過程や設計過程にフィードバックすることができる。
【００３３】
請求項５の発明によれば、電気特性検出手段が検出する電気特性に対して演算処理部での演算処理する順番が設定されるので、機能上重要な電気特性の検出値から順番に調整を行うことができて、調整の精度を向上させることができる。そして、調整不能の電気特性の順番が報知信号として報知信号出力部から出力されるので、当該順番により調整不能の電気特性を特定することにより、製造過程や設計過程にフィードバックすることができる。
【００３４】
請求項６の発明によれば、演算処理部は、前もって設定された上限値および下限値の範囲内で電気特性に対する制御係数を演算処理する結果、所望の制御係数が決定されるので、放電ランプを所定値で安定的に点灯させることができる。
【発明を実施するための最良の形態】
【００３５】
以下、本発明の一実施の形態について、図面を参照して説明する。まず、本発明の第１の実施形態について説明する。
【００３６】
図１ないし図４は、本発明の第１の実施形態を示し、図１は放電ランプ点灯装置の概略回路図、図２は制御手段の調整動作および通常動作の選択を示すフロー図、図３は制御手段の調整動作時のフロー図、図４は制御手段の通常動作時のフロー図である。
【００３７】
図１において、放電ランプ点灯装置１は、直流電源２、高周波点灯回路３、放電ランプとしての蛍光ランプ４、電気特性検出手段５、外部信号入力部６、報知信号出力部７、不揮発性の記憶手段としての不揮発性メモリ８および制御手段９を有して構成されている。
【００３８】
直流電源２は、商用交流電源Ｖｓの交流電圧を整流して直流電圧に変換する整流装置１０を有する。
【００３９】
高周波点灯回路３は、昇圧チョッパ回路１１、インバータ回路１２および共振回路１３により形成されている。昇圧チョッパ回路１１は、整流装置１０の出力間に接続されたインダクタＬ１および電界効果トランジスタＦＥＴ１の直列回路と、電界効果トランジスタＦＥＴ１の両端間に接続された逆流防止用のダイオードＤ１および平滑用コンデンサＣ１の直列回路からなる。昇圧チョッパ回路１１は、電界効果トランジスタＦＥＴ１のオンオフ動作により直流電源２からの直流電圧を所定電圧に変換して平滑用コンデンサＣ１の両端間に出力する。
【００４０】
インバータ回路１２は、平滑用コンデンサＣ１の両端間に直列的に接続された電界効果トランジスタＦＥＴ２，ＦＥＴ３からなり、電界効果トランジスタＦＥＴ２，ＦＥＴ３が交互にオンオフ動作することにより、直流電圧を高周波交流電圧に変換して電界効果トランジスタＦＥＴ３のドレイン、ソース間に出力する。
【００４１】
共振回路１３は、電界効果トランジスタＦＥＴ３のドレイン、ソース間に蛍光ランプ４を介して接続された直流カット用コンデンサＣ２、インダクタＬ２および始動用コンデンサＣ３からなり、前記高周波交流電圧に応じて共振して蛍光ランプ４を点灯させる。このように、高周波点灯回路３は、直流電源２からの直流電圧を高周波電圧に変換して出力し、蛍光ランプ４は、高周波点灯回路３により点灯される。
【００４２】
電気特性検出手段５は、昇圧チョッパ回路１１の入力電圧を検出する入力電圧検出回路１４および出力電圧を検出する出力電圧検出回路１５と、蛍光ランプ４のランプ電圧を検出するランプ電圧検出回路１６およびランプ電流を検出するランプ電流検出回路１７からなっている。
【００４３】
外部信号入力部６は、外部信号入力インターフェース（Ｉ／Ｆ）回路１８および信号入力端子１９ａ，１９ｂからなる。そして、外部から例えばパルス信号の調整信号が信号入力端子１９ａ，１９ｂを介して外部信号入力Ｉ／Ｆ回路１８に入力される。調整信号は、高周波点灯回路３に調整用負荷を接続しているときに外部信号入力部６に入力される。調整用負荷は、例えば蛍光ランプ４と同等のインピーダンスを有する抵抗である。
【００４４】
報知信号出力部７は、信号出力端子２０ａ〜２０ｅに調整終了または調整不能の報知信号を出力するように構成されている。報知信号は、例えばＤＣ５Ｖである。すなわち、昇圧チョッパ回路１１の入力電圧に対して調整することができない（調整不能）のときには、信号出力端子２０ａにＤＣ５Ｖが出力され、同じく出力電圧に対して調整不能のときには、信号出力端子２０ｂにＤＣ５Ｖが出力される。また、蛍光ランプ４のランプ電圧に対して調整不能のときには、信号出力端子２０ｃにＤＣ５Ｖが出力され、同じくランプ電流に対して調整不能のときには、信号出力端子２０ｄにＤＣ５Ｖが出力される。そして、上記全ての電気特性に対して調整することができた（調整終了）ときには、信号出力端子２０ｅにＤＣ５Ｖが出力される。
【００４５】
そして、信号出力端子２０ａ〜２０ｅには、外部に設置される表示装置２１が接続される。すなわち、信号出力端子２０ａは限流用の抵抗Ｒ１を介して発光ダイオードＰＤ１に接続され、以下、信号出力端子２０ｂ〜２０ｄはそれぞれ抵抗Ｒ２〜Ｒ４を介して発光ダイオードＰＤ２〜ＰＤ４に接続され、信号出力端子２０ｅは抵抗Ｒ５を介して発光ダイオードＰＤ５に接続される。
【００４６】
報知信号出力部７から信号出力端子２０ａ〜２０ｅに報知信号（ＤＣ５Ｖ）が出力されると、発光ダイオードＰＤ１〜ＰＤ５が点灯する。すなわち、発光ダイオードＰＤ１が点灯すると、昇圧チョッパ回路１１の入力電圧に対して調整不能であることが表示され、発光ダイオードＰＤ２が点灯すると、同じく出力電圧に対して調整不能であることが表示される。また、発光ダイオードＰＤ３が点灯すると、蛍光ランプ４のランプ電圧に対して調整不能であることが表示され、発光ダイオードＰＤ４が点灯すると、同じくランプ電流に対して調整不能であることが表示される。そして、発光ダイオードＰＤ５が点灯すると、上記全ての電気特性に対して調整終了したことが表示される。
【００４７】
不揮発性メモリ８は、各電気特性の所定値（目標値）、制御係数の上限値および下限値、決定した演算式の制御係数などを記憶するように形成されている。
【００４８】
制御手段８は、アナログデジタル（ＡＤ）変換器２２、駆動回路２３、不揮発性メモリ８、プログラムメモリ２４、メインメモリ２５および中央処理装置（ＣＰＵ）を有する演算処理部２６ａを有してなる主制御部２６を有して形成され、これらはバス２７により接続されている。
【００４９】
ＡＤ変換器２２は、電気特性検出手段５が検出した検出値（電気特性）をデジタル値に変換して主制御部２６に送出する。駆動回路２３は、主制御部２６からの制御信号に応じて、電界効果トランジスタＦＥＴ１と、電界効果トランジスタＦＥＴ２，ＦＥＴ３をそれぞれオンオフ動作させる駆動電圧を生成する。プログラムメモリ２４は、ＲＯＭを備えて調整プログラムおよび通常プログラムを記憶している。メインメモリ２５は、ＲＡＭを備えて主制御部２６が演算したデータなどを記憶する。
【００５０】
そして、主制御部２６は、高周波点灯回路３に調整用負荷が接続され、外部信号入力部６から調整信号が入力されると、演算処理部２６ａがプログラムメモリ２４から調整プログラムを読み出し、調整プログラムを実行するように形成されている。演算処理部２６ａは、ＡＤ変換器２２から電気特性検出手段５が検出した検出値（電気特性）を一定のサンプリング間隔で取り込み、その検出値（電気特性）が所定値（目標値）となるように駆動回路２３を介して高周波点灯回路３を制御し、各検出値（電気特性）に対して制御係数を演算処理する。
【００５１】
制御係数は、制御式の例えば制御ゲインや制御応答時間等である。制御式は、制御量をＵ（ｎ）、１つ前（直前）のタイミングの制御量をＵ（ｎ−１）、制御ゲイン係数をＫ１、制御応答時間係数をＫ２、現在の検出値をＶｄ（ｎ）、１つ前のタイミングの検出値をＶｄ（ｎ−１）、検出値の目標値をＶｍとすると、Ｕ（ｎ）＝Ｕ（ｎ−１）＋Ｋ１＊（Ｖｍ−Ｖｄ（ｎ））＋Ｋ２＊（Ｖｍ−Ｖｄ（ｎ−１））として表わせる。ここで、検出値は、電圧値に変換されている。制御量Ｕ（ｎ）は、電界効果トランジスタＦＥＴ１および電界効果トランジスタＦＥＴ２，ＦＥＴ３を駆動するオンオフ周波数や駆動のオンデューティーなどである。
【００５２】
そして、制御係数Ｋ１，Ｋ２は、電気特性検出手段５が検出する検出値（電気特性）毎に、前もって上限値および下限値が設定されて不揮発性メモリ８に記憶されている。演算処理部２６ａは、検出値が所定値（目標値）となるように高周波点灯回路３を制御する制御量Ｕ（ｎ）を上記制御式から演算する。このとき、演算処理部２６ａは、制御係数Ｋ１，Ｋ２を上限値および下限値の範囲内から決定するように演算する。
【００５３】
電気特性検出手段５が検出する全ての検出値（電気特性）に対して、上限値および下限値の範囲内から制御係数Ｋ１，Ｋ２が決定されると、主制御部２６は、当該制御係数Ｋ１，Ｋ２を不揮発性メモリ８に記憶させるとともに、報知信号出力部７に対して調整終了の報知信号を出力させるように制御する。報知信号出力部７は、ＤＣ５Ｖを信号出力端子２０ｅに出力する。これにより、信号出力端子２０ａ〜２０ｅに接続される表示装置２１の発光ダイオードＰＤ５が点灯する。この発光ダイオードＰＤ５の点灯により、調整終了が報知（視認）される。
【００５４】
また、演算処理部２６ａによる演算処理において、電気特性検出手段５が検出する検出値が所定値（目標値）となるように高周波点灯回路３を制御する上記制御式の制御量Ｕ（ｎ）を制御係数Ｋ１，Ｋ２の上限値および下限値の範囲内から決定することができないときに、主制御部２６は、報知信号出力部７に対して調整不能の報知信号を出力させるように制御する。
【００５５】
報知信号出力部７は、演算処理部２６ａによる演算処理が昇圧チョッパ回路１１の入力電圧（出力電圧）に対して調整不能のときは、信号出力端子２０ａ（信号出力端子２０ｂ）にＤＣ５Ｖを出力する。これにより、表示装置２１の発光ダイオードＰＤ１（発光ダイオードＰＤ２）が点灯する。発光ダイオードＰＤ１（発光ダイオードＰＤ２）の点灯により、昇圧チョッパ回路１１の入力電圧（出力電圧）に対する調整不能が報知（視認）される。
【００５６】
また、報知信号出力部７は、演算処理部２６ａによる演算処理が蛍光ランプ４のランプ電圧（ランプ電流）に対して調整不能のときは、信号出力端子２０ｃ（信号出力端子２０ｄ）にＤＣ５Ｖを出力する。これにより、表示装置２１の発光ダイオードＰＤ３（発光ダイオードＰＤ４）が点灯する。発光ダイオードＰＤ３（発光ダイオードＰＤ４）の点灯により、蛍光ランプ４のランプ電圧（ランプ電流）に対する調整不能が報知（視認）される。
【００５７】
そして、主制御部２６は、高周波点灯回路３に蛍光ランプ４が接続され、商用交流電源Ｖｓが投入されると、演算処理部２６ａがプログラムメモリ２４から通常プログラムを読み出して、通常プログラム基づいて制御動作を実行するように形成されている。すなわち、不揮発性メモリ８から演算処理部２６ａにより決定された制御係数Ｋ１，Ｋ２が読み出され、当該制御係数Ｋ１，Ｋ２を用いて上記制御式により制御量Ｕ（ｎ）が演算される。これにより、電気特性検出手段５が検出する検出値（電気特性）が所定値（目標値）となるように高周波点灯回路３が制御される。蛍光ランプ４は、定格値または定格値付近で安定点灯する。
【００５８】
次に、本発明の第１の実施形態の作用について、図２ないし図４を用いて説明する。
【００５９】
図２において、主制御部２６（演算処理部２６ａ）は、商用交流電源Ｖｓ（直流電源２）が投入されると、外部信号入力Ｉ／Ｆ部１８から調整信号が入力されているか否かを判断する（ステップＳ１）。そして、調整信号が入力されていると、プログラムメモリ２４から調整プログラムを読み出し、調整プログラムに基づいて制御動作を実行する（ステップＳ２）。調整信号が入力されていないと、プログラムメモリ２４から通常プログラムが読み出されて、通常プログラムが実行される（ステップＳ３）。
【００６０】
図３において、調整プログラムが実行されると、高周波点灯回路３に蛍光ランプ４に代えて調整用負荷が接続されているか否かが判断され、調整用負荷が接続されていないと、調整動作は行われない（ステップＳ４）。
【００６１】
高周波点灯回路３に調整用負荷が接続されていると、主制御部２６は、不揮発性メモリ８から制御係数Ｋ１，Ｋ２のそれぞれの上限値および下限値を読み出す（ステップＳ５）。そして、電気特性検出手段５が検出した検出値（電気特性）のうち、演算処理部２６ａで最初に演算処理される検出値が選択される（ステップＳ６）。
【００６２】
次に、演算処理部２６ａで演算処理する検出値をＡＤ変換器２２から一定のサンプリング間隔で取り込む（ステップＳ７）。そして、検出値が所定値（目標値）となるように駆動回路２３を介して高周波点灯回路３の電界効果トランジスタＦＥＴ１および電界効果トランジスタＦＥＴ２，ＦＥＴ３のそれぞれのオンオフ動作を制御する制御量Ｕ（ｎ）および制御係数Ｋ１，Ｋ２を制御式から演算する（ステップＳ８）。
【００６３】
そして、主制御部２６により、制御係数Ｋ１，Ｋ２が決定されたか否かが判断される（ステップＳ９）。制御係数Ｋ１，Ｋ２が決定されていないときは、上記制御量Ｕ（ｎ）および制御係数Ｋ１，Ｋ２の演算を継続する（ステップＳ８）。ここで、所定時間の当該演算を行っても制御係数Ｋ１，Ｋ２が決定できないときは、上限値および下限値の範囲外に制御係数Ｋ１，Ｋ２を決定する。あるいは、調整不能としてステップＳ１２に進むようにする。
【００６４】
制御係数Ｋ１，Ｋ２が決定されると、その制御係数Ｋ１，Ｋ２が上限値および下限値の範囲内であるか否かが判断される（ステップＳ１０）。そして、制御係数Ｋ１，Ｋ２が上限値および下限値の範囲内であると、現在の検出値（電気特性）に対して調整終了となり、当該制御係数Ｋ１，Ｋ２が一時的にメインメモリ２５に書き込みされる（ステップＳ１１）。
【００６５】
また、制御係数Ｋ１，Ｋ２が上限値および下限値の範囲外であると、現在の検出値（電気特性）に対して調整不能となり、主制御部２６は、報知信号出力部７から調整不能の報知信号（ＤＣ５Ｖ）を出力させる（ステップＳ１２）。
【００６６】
そして、電気特性検出手段５が検出した検出値（電気特性）の全てに対して制御係数Ｋ１，Ｋ２の演算処理が行われたか否かが判断される（ステップＳ１３）。全ての検出値に対して演算処理が行われていないときは、次に演算処理する検出値を選択する（ステップＳ１４）。以下、ステップＳ７からステップＳ１３が実行される。
【００６７】
また、電気特性検出手段５が検出した全ての検出値（電気特性）に対する制御係数Ｋ１，Ｋ２の演算処理が実行されていると、制御不能の検出値の有無が判断される（ステップＳ１５）。制御不能の検出値が有った場合、ステップＳ１２において、調整不能の報知信号を出力させているので、調整作業は終了する。
【００６８】
そして、制御不能の検出値がない場合は、電気特性検出手段５が検出した全ての検出値（電気特性）に対する調整が良好に終了したので、主制御部２６は、メインメモリ２５に書き込んだ制御係数Ｋ１，Ｋ２を読み出し、不揮発性メモリ８に記憶（書き込み）させる（ステップＳ１６）。さらに、報知信号出力部７から調整終了の報知信号（ＤＣ５Ｖ）を出力させる（ステップＳ１７）。これにより、表示装置２１の発光ダイオードＰＤ５が点灯して、放電ランプ点灯装置１の調整が良好に終了したことが報知される。
【００６９】
上述したように、高周波点灯回路３に調整用負荷を接続し、信号入力端子１９ａ，１９ｂに調整信号を入力して商用交流電源Ｖｓ（直流電源２）を投入することにより、演算処理部２６ａで調整プログラムが実行され、制御式の制御係数Ｋ１，Ｋ２が決定されるので、高周波点灯回路３および蛍光ランプ４を制御動作させる調整が自動的に行われる。また、調整終了の報知信号が報知信号出力部７から出力されるので、表示装置２１で発光ダイオードＰＤ５の点灯を視認することにより調整終了が確認される。したがって、当該調整の手間や時間を要することがなく、当該調整の人的間違いを防止することができるとともに、当該調整の良否を迅速に把握することができる。
【００７０】
そして、電気特性検出手段５が検出した検出値（電気特性）のうち、制御係数Ｋ１，Ｋ２を前もって設定された上限値および下限値の範囲内で決定するできない検出値（電気特性）が調整不能として表示装置２１の発光ダイオードＰＤ１〜ＰＤ４の点灯により視認（確認）されるので、調整不能の検出値の情報を製造過程や設計過程にフィードバックすることでき、この結果、放電ランプ点灯装置１の品質を向上させることができる。
【００７１】
図２において、高周波点灯回路３に蛍光ランプ４が接続され、信号入力端子１９ａ，１９ｂに調整信号が入力されていない状態で、商用交流電源Ｖｓ（直流電源２）が投入されると、演算処理部２６ａは、プログラムメモリ２４から通常プログラムを読み出し、通常プログラムに基づいて高周波点灯回路３を制御する（ステップＳ３）。すなわち、演算処理部２６ａは、通常プログラムにより通常動作を実行する。
【００７２】
図４において、演算処理部２６ａは、不揮発性メモリ８から制御係数Ｋ１，Ｋ２を読み出し（ステップＳ１８）、メインメモリ２５へ記憶（書き込み）させる（ステップＳ１９）。制御係数Ｋ１，Ｋ２をメインメモリ２５へ記憶させることにより、演算処理部２６ａでの演算処理において、メインメモリ２５との制御係数Ｋ１，Ｋ２の読み出し書き込みが迅速化される。
【００７３】
そして、演算処理部２６ａは、電気特性検出手段５が検出した検出値が所定値（目標値）となるように高周波点灯回路３をフィードバック制御する（ステップＳ２０）。例えば、昇圧チョッパ回路１１の出力電圧が所定値４００Ｖとなるように、蛍光ランプ４が定格ランプ電力で点灯されるように電界効果トランジスタＦＥＴ１および電界効果トランジスタＦＥＴ２，ＦＥＴ３のそれぞれのオンオフ動作を制御する。そして、商用交流電源Ｖｓ（直流電源２）が遮断（ＯＦＦ）されると、主制御部２６の制御動作が停止する（ステップＳ２１）。
【００７４】
次に、本発明の第２の実施形態について説明する。
【００７５】
図５は、本発明の第２の実施形態を示す放電ランプ点灯装置の概略回路図である。なお、図１と同一部分には同一符号を付して説明は省略する。
【００７６】
図５に示す放電ランプ点灯装置２８は、図１に示す放電ランプ点灯装置１において、主制御部２６（演算処理部２６ａ）の調整動作および報知信号出力部２９が異なる。
【００７７】
演算処理部２６ａは、電気特性検出手段５が検出する検出値（電気特性）に対して演算処理する順番を前もって設定している。すなわち、放電ランプ点灯装置１の機能を実現する上で重要な前記検出値から順番に制御式の制御係数Ｋ１，Ｋ２を決定するようにしている。例えば、昇圧チョッパ回路１１の入力電圧（直流電源２の出力電圧）、同じく出力電圧、蛍光ランプ４のランプ電流、ランプ電圧のそれぞれの検出値の順に演算処理を実行する。
【００７８】
そして、主制御部２６は、図３のステップＳ１２において、電気特性検出手段５が検出する検出値（電気特性）のうちの制御係数Ｋ１，Ｋ２を決定することができない検出値に対して演算処理部２６ａでの演算処理する順番を調整不能の報知信号として報知信号出力部２９から出力させるように形成されている。報知信号出力部２９は、前記順番に対応した電圧幅のパルス信号を信号出力端子３０ａ，３０ｂに出力する。
【００７９】
信号出力端子３０ａ，３０ｂには、表示装置３１が接続される。表示装置３１は、前記パルス信号に応じて表示部３１ａに前記順番の数字を表示する。この数字を視認することにより、調整不能の検出値（電気特性）を特定することができる。
【００８０】
報知信号出力部２９は、図３のステップＳ１７において、主制御部２６から調整終了の報知信号を出力するように制御されると、当該報知信号に対応した電圧幅のパルス信号を信号出力端子３０ａ，３０ｂに出力する。表示装置３１は、当該パルス信号に応じて表示部３１ａに例えば調整終了の文字を表示する。
【００８１】
次に、本発明の第３の実施形態について説明する。
【００８２】
図６および図７は、本発明の第３の実施形態を示し、図６は放電ランプ点灯装置の概略回路図、図７は制御手段の調整動作時のフロー図である。なお、図１および図３と同一部分には同一符号を付して説明は省略する。
【００８３】
図６に示す放電ランプ点灯装置３２は、図１に示す放電ランプ点灯装置１において、主制御部２６は、電気特性検出手段５が検出する検出値（電気特性）に対して１つの検出値に調整不能が発生すると、報知信号出力部３３から調整不能の報知信号を出力させ、全ての検出値が良好に調整終了すると、調整終了の報知信号を出力させるように形成されている。すなわち、図７に示すように、図３のステップＳ１２に代えて、調整不能の情報がメインメモリ２５に書き込みされ（ステップＳ１８）、ステップＳ１５において、メインメモリ２５に調整不能の情報が書き込みされていると、調整不能の報知信号を出力する（ステップＳ１９）。
【００８４】
報知信号出力部３３は、調整不能の報知信号（ＤＣ５Ｖ）を信号出力端子３４ａに出力し、調整終了の報知信号（ＤＣ５Ｖ）を信号出力端子３４ｂに出力する。信号出力端子３４ａ，３４ｂには表示装置３５が接続される。信号出力端子３４ａは、抵抗Ｒ１を介して発光ダイオードＰＤ１に接続され、信号出力端子３４ｂは、抵抗Ｒ５を介して発光ダイオードＰＤ５に接続される。
【００８５】
そして、報知信号出力部３３から信号出力端子３４ａに調整不能の報知信号（ＤＣ５Ｖ）が出力されると発光ダイオードＰＤ１が点灯し、信号出力端子３４ｂに調整終了の報知信号（ＤＣ５Ｖ）が出力されると発光ダイオードＰＤ５が点灯する。発光ダイオードＰＤ１および発光ダイオードＰＤ５の点灯を視認することにより、調整の良否を迅速に判断することができる。
【００８６】
次に、本発明の第４の実施形態について説明する。
【００８７】
図８は、本発明の第４の実施形態を示す放電ランプ点灯装置の概略回路図である。なお、図１と同一部分には同一符号を付して説明は省略する。
【００８８】
図８に示す放電ランプ点灯装置３６は、図１に示す放電ランプ点灯装置１において、外部信号入力部６および報知信号出力部７に代えて無線信号で調整信号を入力する受信回路３７および無線信号で調整不能または調整終了の報知信号を出力する送信回路３８が設けられている。
【００８９】
例えば、リモコン装置（図示しない。）を用いて受信回路３７に無線信号で調整用信号を送信し、送信回路３８から報知信号を受信して表示画面に報知信号の情報を表示できる。したがって、信号入力端子１９ａ，１９ｂと調整用信号を送出する外部装置および信号出力端子２０ａ〜２０ｅと報知信号を入力する表示装置２１とを接続する手間を要しなく、制御式の制御係数Ｋ１，Ｋ２を決定する調整作業をより容易かつ迅速に行うことができる。
【００９０】
なお、受信回路３７および送信回路３８は、一体の送受信回路に形成されてもよい。
【００９１】
次に、本発明の第５の実施形態について説明する。
【００９２】
図９は、本発明の第５の実施形態を示す電源装置の概略回路図である。なお、図１と同一部分には同一符号を付して説明は省略する。
【００９３】
図９に示す電源装置３９は、図１に示す放電ランプ点灯装置１において、高周波点灯回路３に代えて、電源回路４０が形成され、電源回路４０の出力間に負荷４１が接続されている。電源回路４０は、図１に示す昇圧チョッパ回路１１と同様に構成されている。負荷４１は、例えばモータである。また、ランプ電圧検出回路１６およびランプ電流検出回路１７に代えて、負荷電流を検出する負荷電流検出回路４２が設けられて電気特性検出手段４３が形成されている。
【００９４】
電源装置３９は、図１に示す放電ランプ点灯装置１と同様にして、調整動作時に調整プログラムが実行され、電気特性検出手段４３が検出する検出値（電気特性）が所定値（目標値）となるように電源回路４０を制御する制御式の制御係数Ｋ１，Ｋ２が決定される。そして、表示装置４４において、各検出値の調整不能がそれぞれ発光ダイオードＰＤ１，ＰＤ２，ＰＤ４の点灯により判断され、調整終了が発光ダイオードＰＤ５の点灯により判断される。
【図面の簡単な説明】
【００９５】
【図１】本発明の第１の実施形態を示す放電ランプ点灯装置の概略回路図。
【図２】同じく、制御手段の調整動作および通常動作の選択を示すフロー図。
【図３】同じく、制御手段の調整動作時のフロー図。
【図４】同じく、制御手段の通常動作時のフロー図。
【図５】本発明の第２の実施形態を示す放電ランプ点灯装置の概略回路図。
【図６】本発明の第３の実施形態を示す放電ランプ点灯装置の概略回路図。
【図７】同じく、制御手段の調整動作時のフロー図。
【図８】本発明の第４の実施形態を示す放電ランプ点灯装置の概略回路図。
【図９】本発明の第５の実施形態を示す電源装置の概略回路図。
【符号の説明】
【００９６】
１，２８，３２，３６…放電ランプ点灯装置
２…直流電源
３…高周波点灯回路
４…放電ランプとしての蛍光ランプ
５，４３…電気特性検出手段
６…外部信号入力部
７，２９，３３…報知信号出力部
８…不揮発性の記憶手段としての不揮発性メモリ
９…制御手段
３７…外部信号入力部としての受信回路
３８…報知信号出力部としての送信回路
３９…電源装置
４０…電源回路
４１…負荷
【図１】
2007174751.tif 000003
【図２】
2007174751.tif 000004
【図３】
2007174751.tif 000005
【図４】
2007174751.tif 000006
【図５】
2007174751.tif 000007
【図６】
2007174751.tif 000008
【図７】
2007174751.tif 000009
【図８】
2007174751.tif 000010
【図９】
2007174751.tif 000011